(57)【特許請求の範囲】
【請求項１】
建物の壁面２に沿って少なくとも一対の内側建地３と一対の外側建地４とを壁面２と平行かつ垂直になる様に所定間隔で立設せしめ、前記建地３、３、４、４間に布地６を架設すると共に、端部が壁面２内に打ち込まれたアンカ−材１４に螺合された壁つなぎ材１２を内側建地３に緊結することにより、建物壁面２に沿って垂直に設置された仮設足場において、内側建地３、３間にこの内側建地３、３間の距離よりも長尺な横梁材７を両側に張り出し部９が形成される様に緊結し、一方の端部がピボットジャッキ１１を介して壁面２に当接する振れ止め材１０を前記張り出し部９及び外側建地４に緊結することにより、振れ止め材１０を上方から見て斜め外側に向って張り出した状態で外側建地４と壁面２との間に介在固定せしめたことを特徴とする仮設足場。
【請求項２】
ピボットジャッキ１１の当接板１５にゴム板１６を両面接着テ−プ１７で貼り付けたことを特徴とする請求項１記載の仮設足場。
【発明の詳細な説明】
【０００１】
【発明の属する技術分野】
この発明は仮設足場、詳しくは風などの影響による横揺れに対する抵抗力にすぐれた仮設足場に関するものである。
【０００２】
【従来の技術】
建物の壁面に沿って少なくとも一対の内側建地と一対の外側建地とを壁面と平行かつ垂直になる様に所定間隔で立設せしめ、前記各建地間に布地を架設した所謂仮設足場は、建物の壁面の補修工事、配管工事、電気工事などに広く使用されている。
【０００３】
【発明が解決しようとする課題】
建物の壁面の横方向に幅の広い仮設足場なら、風などの影響による横揺れには比較的強いが、横幅が狭く縦長の仮設足場の場合、横揺れに対する抵抗力は弱く、わずかな風圧や振動などによって横揺れが起きやすく、共振現象によって倒壊する危険もあった。縦長の仮設足場であっても、建物の壁面への固定を十分に行えば、当然横揺れに対する抵抗力は強くなるが、仮設足場は設置及び撤去を簡単に行え、しかも低コストであることが最大の特徴であり、その特性上、複雑な構造のものは採用することは出来なかった。特に単スパン仮設足場と称される左右一対の建地からなる縦長の仮設足場は、既設建築物の外壁面の簡単な補修、アンテナ付設工事、配管工事など短期間で終了する工事に多用されているが、横方向の幅に比して縦方向の高さが極端に大きく、風などの影響による横揺れには非常に脆弱であった。
【０００４】
又、この仮設足場の建物壁面への固定は、アンカ−材を壁面に打ち込み、壁つなぎ材と称される水平部材の一端をこのアンカ−材と結合し、この壁つなぎ材の他端を内側建地に緊結することによって行っているが、この場合には当然壁面に穴を穿つことになり、壁面を傷付けてしまう為、この壁つなぎ材による固定は最小限にしなければならず、補強の為に無闇にこの壁つなぎ材を多用することは出来なかった。
【０００５】
この発明は、仮設足場についての上記問題点を解決することを目的とするものであり、単スパン仮設足場の様に極端に縦長な仮設足場であっても、横揺れを押えることが出来、壁面も必要以上に傷付けることなく、設置、撤去も簡単で、安全に作業を行わせることができる便利な仮設足場を提供せんとするものである。
【０００６】
【課題を解決するための手段】
建物の壁面２に沿って少なくとも一対の内側建地３と一対の外側建地４とを壁面２と平行かつ垂直になる様に所定間隔で立設せしめ、前記建地３、３、４、４間に布地６を架設すると共に、端部が壁面２内に打ち込まれたアンカ−材１４に螺合された壁つなぎ材１２を内側建地３に緊結することにより、建物壁面２に沿って垂直に設置された仮設足場において、内側建地３、３間にこの内側建地３、３間の距離よりも長尺な横梁材７を両側に張り出し部９が形成される様に緊結し、一方の端部がピボットジャッキ１１を介して壁面２に当接する振れ止め材１０を前記張り出し部９及び外側建地４に緊結することにより、振れ止め材１０を上方から見て斜め外側に向って張り出した状態で外側建地４と壁面２との間に介在固定せしめたことにより、上記課題を解決せんとするものである。
【０００７】
【発明の実施の形態】
図１はこの発明に係る仮設足場の正面図、図２はその側面図、図３は拡大して描いたその平面図である。
【０００８】
図中１は仮設足場本体であり、建物の壁面２に沿って少なくとも一対の内側建地３、３と、一対の外側建地４、４とが壁面２と平行かつ垂直になる様に地盤５上に所定間隔で立設されており、前記各建地３、３、４、４間には布地６が架設されている。これら建地３、４は主に鋼管が、布地６は鋼製網板、鋼製パンチングボ−ドなどが用いられる。
【０００９】
又、図中１２は壁つなぎ材であり、その先端は壁面２に打ち込まれてアンカ−材１４に螺合され、後端は内側建地３に結合されており、仮設足場本体１を壁面２に固定する役を担っている。この壁つなぎ材１２は、一定間隔で複数本取付けられている。なお、図中１３は各部材の結合に用いている緊結金具である。これら構成は、従来からある仮設足場と全く同じである。又、上記実施の形態は、一対の建地３、３間及び４、４間に布地６が架設された所謂単スパン仮設足場であるが、建地が３本以上ある仮設足場であっても良い。
【００１０】
一方、図３に示す様に、内側建地３、３間には、端部８が内側建地３の側方へ張り出して張り出し部９となっている横梁材７が結合されており、この横梁材７を利用して振れ止め材１０が壁面２へ向って斜め外側方向に延設されている。即ち、振れ止め材１０は、前記横梁材７の張り出し部９の端部８寄りの箇所で交差すると共に、外側建地４の相応する部分に端部を接し、それぞれの交点で張り出し部９及び外側建地４に緊結されている。更に、この振り止め材１０の壁面２側の端部にはピボットジャッキ１１が取付けられており、このピボットジャッキ１１を壁面２に当接して締め付けることにより、振り止め材１０を壁面２に固定する様になっている。
【００１１】
この振れ止め材１０は、図３から分かる通り、上方から見て斜め外側に向って張り出した状態で壁面２に当接する様になっており、振れ止め材１０、壁つなぎ材１２及び張り出し部９で仮設足場本体１の側部に三角形が形成される様になっている。なお、図４に示す様に、ピボットジャッキ１１の当接板１５にゴム板１６を両面接着テ−プ１７を用いて貼り付ければ、この振れ止め材１０と壁面２との当接がより確実になり横滑りを防止する為に好都合である。
【００１２】
この実施の形態は上記の通りの構成を有するものであり、従来の仮設足場と同様に、作業を行おうとする壁面２に沿って組み立て、壁つなぎ材１２の端部を壁面２に打ち込んだアンカ−材１４に螺合し、壁面２への固定を行った後、振れ止め材１０のピボットジャッキ１１を伸長させ、その端面を壁面２に当接させて壁面２への固定を行う。この状態でこの仮設足場を使って各種作業を行うのであるが、振れ止め材１０が斜め横方向に張り出した状態で仮設足場本体１を支えているので、風圧等横方向からの荷重がかかってきたとしても、この振れ止め材１０がこの荷重を支え、横方向への揺れを阻止する。又、この振れ止め材１０の端面は壁面２に単に当接しているだけなので、壁面２を傷付けず、設置及び撤去も極めて容易である。又、ピボットジャッキ１１の当接板１５にゴム板１６を両面接着テ−プ１７を用いて貼り付けた場合には、横滑りが確実に防止され、横方向の揺れをより一層有効に阻止することができる。
【００１３】
【発明の効果】
この発明は上記の通り、簡単な構造ながら、横方向からの荷重に弱い仮設足場の欠点をなくし、安全に各種作業を実施させることができる効果を有し、縦長の単スパン仮設足場に適用した場合には特に有効である。
【図面の簡単な説明】
【図１】この発明に係る仮設足場の一実施形態の正面図。
【図２】その側面図。
【図３】拡大して描いたその平面図。
【図４】ピボットジャッキ１１にゴム板１６を取付けた状態の拡大斜視図。
【符号の説明】
１      仮設足場本体
２      壁面
３      内側建地
４      外側建地
５      地盤
６      布地
７      横梁材
８      端部
９      張り出し部
１０      振れ止め部
１１      ピボットジャッキ
１２      壁つなぎ材
１３      緊結金具
１４      アンカ−材
１５      当接板
１６      ゴム板
１７      両面接着テ−プ
【図１】
0003844623.tif 000002
【図２】
0003844623.tif 000003
【図３】
0003844623.tif 000004
【図４】
0003844623.tif 000005